(57)【要約】【課題】ワイヤーハーネスの配索作業効率の低下を抑止しつつ当該ワイヤーハーネスに防鼠効果を付与することができる作業方法、および固定ユニットを提供する。【解決手段】ワイヤーハーネス５を車体に配索するに際して当該ワイヤーハーネス５に防鼠効果を付与する配索作業方法であって、ワイヤーハーネス５を保持する保持部１１と、車体に固定される被固定部１３と、を有する固定具１を準備する工程と、ワイヤーハーネス５を保持部１１に保持させる工程と、固定具１またはワイヤーハーネス５に対して、防鼠剤３１と防鼠剤３１を内部に封入する袋状体３２とを有する防鼠部材３を取り付ける工程と、ワイヤーハーネス５を車体の所定箇所に配置する工程と、被固定部１３を車体に固定するとともに、当該固定に伴って袋状体３２を破ることで当該袋状体３２の内部から外部へ防鼠剤３１を放出させる工程と、を備える。【選択図】図３
2015173562.tif 000002
【特許請求の範囲】
【請求項１】
ワイヤーハーネスを車体に配索するに際して当該ワイヤーハーネスに防鼠効果を付与する配索作業方法であって、
前記ワイヤーハーネスを保持する保持部と、前記車体に固定される被固定部と、を有する固定具を準備する工程と、
前記ワイヤーハーネスを前記保持部に保持させる工程と、
前記固定具または前記ワイヤーハーネスに対して、防鼠剤と前記防鼠剤を内部に封入する袋状体とを有する防鼠部材を取り付ける工程と、
前記ワイヤーハーネスを前記車体の所定箇所に配置する工程と、
前記ワイヤーハーネスを前記保持部に保持させるとともに前記ワイヤーハーネスを前記車体の所定箇所に配置した状態で前記被固定部を前記車体に固定するとともに、当該固定に伴って前記袋状体を破ることで当該袋状体の内部から外部へ前記防鼠剤を放出させる工程と、を備える配索作業方法。
【請求項２】
ワイヤーハーネスを車体に固定するとともに当該固定に伴って前記ワイヤーハーネスに対する防鼠効果を発揮する固定ユニットであって、
前記ワイヤーハーネスを保持する保持部と、前記車体に固定される被固定部と、を有する固定具と、
防鼠剤と、前記防鼠剤を内部に封入する袋状体と、を有し、前記被固定部が前記車体に固定されるに際して前記袋状体が破れることで当該袋状体の内部から外部へ前記防鼠剤が放出されるように前記固定具に取り付けられる防鼠部材と、を備える固定ユニット。
【請求項３】
前記被固定部は、当該被固定部の弾性変形を伴って前記車体に固定されるものであり、
前記防鼠部材は、前記弾性変形した被固定部が前記袋状体を押圧することにより当該袋状体が破れるように、前記固定具に取り付けられる、請求項２に記載の固定ユニット。
【請求項４】
前記被固定部は、第１部位と第２部位とを有しており、当該被固定部が前記車体に設けられる穴部に挿入されることで前記第１部位と前記第２部位とが前記被固定部の挿入方向と直交する方向において互いに近づくように変位し、
前記防鼠部材は、前記変位した第１部位および第２部位の少なくとも一方が前記袋状体を押圧することにより当該袋状体が破れるように、前記第１部位と前記第２部位との間に配置される、請求項３に記載の固定ユニット。
【請求項５】
前記被固定部は、前記挿入方向に延びるとともに前記穴部に挿入される挿入部をさらに有し、
前記第１部位および前記第２部位は、前記挿入部から延びるとともに当該挿入部を挟んで互いに対向しており、前記挿入部が前記穴部に挿入されるに際して前記挿入方向と直交する方向において前記挿入部に近づくように変位しつつ前記穴部に挿入され、
前記挿入部に近づくように変位した第１部位および第２部位は、前記挿入部が所定の挿入位置に達することで当該挿入部から遠ざかるように変位し、これにより前記挿入方向において前記第１部位および前記第２部位が前記車体に引っ掛かることで前記被固定部が前記車体に固定され、
前記防鼠部材は、前記袋状体が前記挿入部と当該挿入部に近づくように変位した第１部位または第２部位とに挟み込まれることによって破れるように、前記挿入部と前記第１部位との間または前記挿入部と前記第２部位との間に配置される、請求項４に記載の固定ユニット。
【請求項６】
前記防鼠部材は、前記被固定部が前記車体に固定されるに際して前記袋状体が前記車体と前記固定具との間に挟みこまれることによって破れるように前記固定具のうち前記車体に対向する部位に取り付けられる、請求項２に記載の固定ユニット。
【発明の詳細な説明】
【技術分野】
【０００１】
本発明は、ワイヤーハーネスを車体に配索するに際して当該ワイヤーハーネスに防鼠効果を付与する配索作業方法、およびワイヤーハーネスを車体に固定するとともに当該固定に伴って前記ワイヤーハーネスに対する防鼠効果を発揮する固定ユニットに関する。
【背景技術】
【０００２】
従来、車体に配索されるワイヤーハーネスが知られている。このようなワイヤーハーネスには、例えば車体に浸入した鼠が当該ワイヤーハーネスに噛み付くことによって当該ワイヤーハーネスが断線することを抑止するため、防鼠剤が塗布されることがある。特許文献１には、複数の電線と、複数の電線を保護するために当該複数の電線を周方向に取り囲む管状の保護チューブと、当該保護チューブの外表面に塗布された防鼠剤と、を備えた防鼠性ワイヤーハーネスが記載されている。
【０００３】
上記の防鼠性ワイヤーハーネスは、車体に配索されるに際して、例えば特許文献２に記載された固定具を介して車体に固定される。具体的には、特許文献２には、ワイヤーハーネスが取り付けられる取付板と、当該取付板に設けられるとともに車体におけるボディパネルの穴に嵌着可能なクリップと、を有する固定具が記載されており、取付板に上記の防鼠性ワイヤーハーネスが取り付けられた状態で車体のボディパネルの穴にクリップが嵌着されることで、上記の防鼠性ワイヤーハーネスが車体に固定される。
【先行技術文献】
【特許文献】
【０００４】
【特許文献１】特開平８−３３４４５号公報
【特許文献２】特開平１０−２６７１６６号公報
【発明の概要】
【発明が解決しようとする課題】
【０００５】
上記のように防鼠性ワイヤーハーネスを車体に配索する場合、当該配索作業者は、防鼠性ワイヤーハーネスを車体の所定箇所に配置するとともに、当該防鼠性ワイヤーハーネスの所定箇所に固定具の取付板を取り付けた上で、当該固定具のクリップを車体のボディパネルの穴に嵌着する必要があり、これらの配索作業を通して配索作業者が保護チューブの外表面に防鼠剤が塗布された状態における防鼠性ワイヤーハーネスを取り扱う必要があるため、配索作業時における防鼠剤の臭いあるいは配索作業者への防鼠剤の付着等によって、作業効率が低下する可能性がある。
【０００６】
本発明は、上記の観点からなされたものであり、その目的は、ワイヤーハーネスの配索作業効率の低下を抑止しつつ当該ワイヤーハーネスに防鼠効果を付与することができる配索作業方法、および固定ユニットを提供することにある。
【課題を解決するための手段】
【０００７】
本発明は、ワイヤーハーネスを車体に配索するに際して当該ワイヤーハーネスに防鼠効果を付与する配索作業方法であって、前記ワイヤーハーネスを保持する保持部と、前記車体に固定される被固定部と、を有する固定具を準備する工程と、前記ワイヤーハーネスを前記保持部に保持させる工程と、前記固定具または前記ワイヤーハーネスに対して、防鼠剤と前記防鼠剤を内部に封入する袋状体とを有する防鼠部材を取り付ける工程と、前記ワイヤーハーネスを前記車体の所定箇所に配置する工程と、前記ワイヤーハーネスを前記保持部に保持させるとともに前記ワイヤーハーネスを前記車体の所定箇所に配置した状態で前記被固定部を前記車体に固定するとともに、当該固定に伴って前記袋状体を破ることで当該袋状体の内部から外部へ前記防鼠剤を放出させる工程と、を備える。
【０００８】
上記の配索作業方法では、被固定部を車体に固定する際に当該固定に伴って防鼠部材の袋状体を破るため、ワイヤーハーネスの配索作業効率が低下することを抑止しつつ当該ワイヤーハーネスに防鼠効果を付与することができる。具体的には、上記の配索作業方法では、ワイヤーハーネスまたは固定具に対して袋状体に防鼠剤が封入される構成を有する防鼠部材を取り付けるため、ワイヤーハーネスに予め防鼠剤を塗布する必要がなく、保持部にワイヤーハーネスを保持させる工程あるいはワイヤーハーネスを車体の所定箇所に配置する工程において防鼠剤の臭いが作業現場に広がることあるいは配索作業者に防鼠剤が付着することを抑止できるとともに、これらの作業後において固定具の被固定部を車体に固定するのに伴って袋状体の内部から外部へ防鼠剤を放出させるため、ワイヤーハーネスの配索作業効率の低下を抑止しつつ当該ワイヤーハーネスに防鼠効果を付与することができる。
【０００９】
本発明は、ワイヤーハーネスを車体に固定するとともに当該固定に伴って前記ワイヤーハーネスに対する防鼠効果を発揮する固定ユニットであって、前記ワイヤーハーネスを保持する保持部と、前記車体に固定される被固定部と、を有する固定具と、防鼠剤と、前記防鼠剤を内部に封入する袋状体と、を有し、前記被固定部が前記車体に固定されるに際して前記袋状体が破れることで当該袋状体の内部から外部へ前記防鼠剤が放出されるように前記固定具に取り付けられる防鼠部材と、を備える。
【００１０】
上記の固定ユニットは、被固定部が車体に固定されるに際して袋状体が破れることで当該袋状体の内部から外部へ防鼠剤が放出されるように固定具に取り付けられる防鼠部材を備えるため、ワイヤーハーネスの配索作業効率の低下を抑止しつつ当該ワイヤーハーネスに防鼠効果を付与することができる。具体的には、上記の固定ユニットでは、防鼠部材が固定具に取り付けられるとともに当該防鼠部材が袋状体に防鼠剤が封入される構成を有しており、ワイヤーハーネスに予め防鼠剤を塗布する必要がないため、ワイヤーハーネスを車体の所定箇所に配置する作業時あるいは固定具の保持部にワイヤーハーネスの所定箇所を保持させる作業時において防鼠剤の臭いが作業現場に広がることあるいは配索作業者に防鼠剤が付着することを抑止できるとともに、これらの作業後において固定具の被固定部を車体に固定する際に防鼠剤が袋状体の内部から外部へ放出されるため、ワイヤーハーネスの配索作業効率の低下を抑止しつつ当該ワイヤーハーネスに防鼠効果を付与することができる。
【００１１】
前記被固定部は、当該被固定部の弾性変形を伴って前記車体に固定されるものであり、前記防鼠部材は、前記弾性変形した被固定部が前記袋状体を押圧することにより当該袋状体が破れるように、前記固定具に取り付けられることが好ましい。
【００１２】
上記の固定ユニットでは、車体に固定されるに際して弾性変形した被固定部が袋状体を押圧することで当該袋状体が破れるため、防鼠剤を袋状体の内部から外部へ容易に放出させることができる。
【００１３】
前記被固定部は、第１部位と第２部位とを有しており、当該被固定部が前記車体に設けられる穴部に挿入されることで前記第１部位と前記第２部位とが前記被固定部の挿入方向と直交する方向において互いに近づくように変位し、前記防鼠部材は、前記変位した第１部位および第２部位の少なくとも一方が前記袋状体を押圧することにより当該袋状体が破れるように、前記第１部位と前記第２部位との間に配置されることが好ましい。
【００１４】
上記の固定ユニットでは、車体の穴部に挿入されるに際して挿入方向と直交する方向において互いに近づくように変位した第１部位または第２部位が袋状体を押圧し、これにより袋状体が破れるため、被固定部を穴部に挿入すると同時に防鼠剤を袋状体の内部から外部へ放出することができる。
【００１５】
前記被固定部は、前記挿入方向に延びるとともに前記穴部に挿入される挿入部をさらに有し、前記第１部位および前記第２部位は、前記挿入部から延びるとともに当該挿入部を挟んで互いに対向しており、前記挿入部が前記穴部に挿入されるに際して前記挿入方向と直交する方向において前記挿入部に近づくように変位しつつ前記穴部に挿入され、前記挿入部に近づくように変位した第１部位および第２部位は、前記挿入部が所定の挿入位置に達することで当該挿入部から遠ざかるように変位し、これにより前記挿入方向において前記第１部位および前記第２部位が前記車体に引っ掛かることで前記被固定部が前記車体に固定され、前記防鼠部材は、前記袋状体が前記挿入部と当該挿入部に近づくように変位した第１部位または第２部位とに挟み込まれることによって破れるように、前記挿入部と前記第１部位との間または前記挿入部と前記第２部位との間に配置されることが好ましい。
【００１６】
上記の固定ユニットでは、挿入部が車体の穴部に挿入されることにより第１部位および第２部位が車体に固定されるとともに、前記挿入の過程において袋状体が破れ、これにより防鼠剤が袋状体の内部から外部へ放出されるため、前記挿入によって車体に対するワイヤーハーネスの固定と当該ワイヤーハーネスに対する防鼠効果の付与とを同時に達成することができる。具体的には、上記の固定ユニットでは、挿入部と第１部位との間または挿入部と第２部位との間に防鼠部材が配置されており、挿入部が車体の穴部に挿入される過程において第１部位および第２部位が挿入部に近づくように変位することで、袋状体が挿入部と第１部位または第２部位とに挟み込まれ、これにより当該袋状体が破れることで防鼠剤が袋状体の内部から外部へ放出されるとともに、挿入部が所定の挿入位置に達することにより第１部位および第２部位が当該挿入部から遠ざかるように変位することで車体に引っ掛かり、これにより被固定部が車体に固定されるため、挿入部が車体の穴部に挿入されるだけで当該車体に対するワイヤーハーネスの固定と当該ワイヤーハーネスに対する防鼠効果の付与とを同時に達成することができる。
【発明の効果】
【００１７】
以上のように、本発明によれば、ワイヤーハーネスの配索作業効率の低下を抑止しつつ当該ワイヤーハーネスに防鼠効果を付与することができる作業方法、および固定ユニットが提供される。
【図面の簡単な説明】
【００１８】
【図１】本実施形態に係る固定ユニットを示す概略斜視図である。
【図２】本実施形態に係る固定ユニットにワイヤーハーネスを取り付けた状態を示す概略斜視図である。
【図３】ワイヤーハーネスを取り付けた本実施形態に係る固定ユニットを車体のボディパネルに固定する以前の状態を示す概略側面図である。
【図４】図３の要部を示す概略断面図である。
【図５】ワイヤーハーネスを取り付けた本実施形態に係る固定ユニットを車体のボディパネルに固定した状態を示す概略断面図である。
【図６】図５の要部を示す概略断面図である。
【図７】本実施形態に係る固定ユニットの変形例を示しており、図４と同様の状態を示す図である。
【図８】図７の変形例に係る固定ユニットを示しており、図６と同様の状態を示す図である。
【発明を実施するための形態】
【００１９】
以下、本発明の一実施形態について、図面を参照しながら説明する。但し、以下で参照する各図は、説明の便宜上、本発明の一実施形態の構成部材のうち、本発明を説明するために必要な主要部材を簡略化して示したものである。したがって、本発明に係る固定ユニットは、本明細書が参照する各図に示されていない任意の構成部材を備え得る。
【００２０】
まず、図１〜図４を参照しつつ、本実施形態に係る固定ユニットＸ１の詳細な構成について説明する。
【００２１】
固定ユニットＸ１は、固定具１および一対の防鼠部材３を備えている。固定ユニットＸ１は、固定具１によって車体に配索されるワイヤーハーネス５を当該車体のボディパネル９に固定するとともに、防鼠部材３によってワイヤーハーネス５に防鼠効果を付与するものである。
【００２２】
固定具１は、保持部１１、一対の抜止め部１２、被固定部１３、および受け部１６を有している。
【００２３】
保持部１１は、ワイヤーハーネス５を保持する。保持部１１は、車体のボディパネル９に沿って一方方向に延びる矩形状をなしている。保持部１１は、ワイヤーハーネス５に対向する第１主面１１Ａ、および当該第１主面１１Ａの反対側に位置するとともにボディパネル９に対向する第２主面１１Ｂを含んでいる。車体に配索されるワイヤーハーネス５は、図２および図３に示すように、第２主面１１Ｂと対向するように配置され、前記一方方向における保持部１１の両端とワイヤーハーネス５とにテープ部材７が巻き付けられることによって、当該ワイヤーハーネス５が保持部１１に固定される。なお、本実施形態では、保持部１１が矩形状をなすとともにワイヤーハーネス５がテープ部材７を介して保持部１１に固定される例について説明するが、保持部１１の形状や当該保持部１１とワイヤーハーネス５との固定方法は任意であって、保持部１１がワイヤーハーネス５を保持できればよい。例えば、円筒形状に形成された保持部１１の中空部分にワイヤーハーネス５が挿入されることによって、当該ワイヤーハーネス５が保持部１１に保持されてもよい。
【００２４】
一対の抜止め部１２は、テープ部材７が保持部１１から外れることを抑止する。各抜止め部１２は、前記一方方向における保持部１１の両端にそれぞれ設けられている。具体的には、各抜止め部１２は、前記一方方向における保持部１１の両端のそれぞれから車体のボディパネル９側へ延びており、前記一方方向におけるテープ部材７の変位を規制する。
【００２５】
被固定部１３は、その弾性変形を伴って車体のボディパネル９に固定される。被固定部１３は、前記一方方向における保持部１１の中央に設けられている。具体的には、被固定部１３は、前記一方方向における保持部１１の中央において、保持部１１の第２主面１１Ｂからボディパネル９側へ延びている。ここで、図３に示すように、車体のボディパネル９は、当該ボディパネル９を貫通する穴部９１と、当該穴部９１を取り囲む縁部９２と、を含んでいる。被固定部１３は、ボディパネル９の穴部９１に挿入される際に弾性変形することで、当該ボディパネル９に固定され、これによりワイヤーハーネス５が固定具１を介して車体に固定される。なお、被固定部１３は、前記一方方向における保持部１１の中央に設けられていなくともよく、例えば前記一方方向における保持部１１の一端に設けてもよい。すなわち、固定具１において被固定部１３が設けられる位置は任意であり、当該位置は固定ユニットＸ１の使用態様に応じて適宜変更することができる。
【００２６】
被固定部１３は、挿入部１４および引掛部１５を有している。
【００２７】
挿入部１４は、ボディパネル９の穴部９１に挿入される。挿入部１４は、保持部１１の第２主面１１Ｂから当該第２主面１１Ｂと直交する方向に延びる軸部１４ｂと、当該軸部１４ｂを挟んで保持部１１とは反対側に位置する先端１４ａと、を含んでいる。先端１４ａは、軸部１４ｂに比して当該軸部１４ｂが延びる方向と直交する方向における幅が大きく設定されている。また、先端１４ａは、穴部９１に比して軸部１４ｂが延びる方向と直交する方向における幅が小さく設定されている。挿入部１４は、先端１４ａ側から軸部１４ｂが延びる方向に沿って穴部９１に挿入される。
【００２８】
引掛部１５は、その変位に伴ってボディパネル９の縁部９２に引っ掛かることにより当該ボディパネル９に固定される。引掛部１５は、保持部１１が延びる方向において挿入部１４を挟んで互いに対向した第１引掛部１５ａと第２引掛部１５ｂとを有しており、当該第１引掛部１５ａおよび第２引掛部１５ｂが挿入部１４から延びている。具体的には、第１引掛部１５ａおよび第２引掛部１５ｂは、挿入部１４の軸部１４ｂのうち先端１４ａに近い側に位置する部位から保持部１１の第２主面１１Ｂ側へ延びている。第１引掛部１５ａおよび第２引掛部１５ｂは、保持部１１が延びる方向において弾性的に変位可能な状態にある。また、引掛部１５は、挿入部１４の軸部１４ｂに対向する内表面１５Ａと当該内表面１５Ａの反対側に位置する外表面１５Ｂとを含んでいる。引掛部１５の内表面１５Ａは、挿入部１４の軸部１４ｂとは離間しており、第１引掛部１５ａの内表面１５Ａと挿入部１４の軸部１４ｂとの間および第２引掛部１５ｂの内表面１５Ａと挿入部１４の軸部１４ｂとの間には空間が存在している。引掛部１５の外表面１５Ｂは、段差形状をなしており、挿入部１４の先端１４ａ側に位置する上段面と保持部１１の第２主面１１Ｂ側に位置する下段面とを含んでいる。第１引掛部１５ａおよび第２引掛部１５ｂは、挿入部１４がボディパネル９の穴部９１に挿入される際に保持部１１が延びる方向において互いに近づくように変位するとともに、ボディパネル９の縁部９２が外表面１５Ｂの下段面に当接する位置にて外表面１５Ｂの上段面が前記挿入方向においてボディパネル９の縁部９２に引っ掛かり、これにより被固定部１３がボディパネル９に固定される。
【００２９】
受け部１６は、被固定部１３がボディパネル９の穴部９１に挿入された状態にて、当該挿入方向において引掛部１５の外表面１５Ｂとは反対側からボディパネル９に接する。受け部１６は、保持部１１が延びる方向において挿入部１４を挟んで互いに対向した第１受け部１６ａと第２受け部１６ｂとを有しており、当該第１受け部１６ａおよび第２受け部１６ｂが挿入部１４から延びている。具体的には、第１受け部１６ａおよび第２受け部１６ｂは、挿入部１４の軸部１４ｂのうち保持部１１の第２主面１１Ｂに近い側に位置する部位から保持部１１が延びる方向に沿って延びている。第１受け部１６ａおよび第２受け部１６ｂは、保持部１１の第２主面１１Ｂとは離間しており、当該第２主面１１Ｂに直交する方向において弾性的に変位可能な状態にある。受け部１６は、被固定部１３がボディパネル９の穴部９１に挿入された状態にて、第２主面１１Ｂ側に変位しつつボディパネル９に当接する。ボディパネル９は、引掛部１５の外表面１５Ｂと受け部１６とによって被固定部１３の挿入方向の両側から挟まれ、これにより固定具１がボディパネル９に固定される。
【００３０】
一対の防鼠部材３は、被固定部１３がボディパネル９に固定されるのに伴いワイヤーハーネス５に防鼠効果を付与する。各防鼠部材３は、固定具１に取り付けられている。具体的には、各防鼠部材３は、挿入部１４の軸部１４ｂに取り付けられており、第１引掛部１５ａの内表面１５Ａと挿入部１４の軸部１４ｂとの間の空間および第２引掛部１５ｂの内表面１５Ａと挿入部１４の軸部１４ｂとの間の空間にそれぞれ配置されている。各防鼠部材３は、鼠に対して臭いあるいは味等によって禁忌効果を発揮する防鼠剤３１と、当該防鼠剤３１を封入した袋状体３２と、を有している。防鼠剤３１としては、例えばカプサイシンあるいはシクロヘキシミド等を採用することができる。袋状体３２としては、例えば樹脂材料によって構成されるカプセル部材等を採用することができる。袋状体３２は、挿入部１４がボディパネル９の穴部９１に挿入される際に当該挿入部１４の軸部１４ｂ側に変位した引掛部１５に押しつぶされ、これにより破れた袋状体３２から防鼠剤３１が放出されることで、ワイヤーハーネス５に防鼠効果が付与される。なお、各防鼠部材３は、被固定部１３がボディパネル９に固定されるのに伴って袋状体３２が破れるように固定具１に取り付けられていればよく、例えば第１引掛部１５ａの内表面１５Ａと第２引掛部１５ｂの内表面１５Ａとにそれぞれ取り付けられてもよい。また、防鼠部材３の個数は任意であって、固定ユニットＸ１の使用態様に応じて適宜変更することができる。
【００３１】
次に、図１〜図４に加えて図５および図６を参照しつつ、固定ユニットＸ１を用いてワイヤーハーネス５に防鼠効果を付与しつつ当該ワイヤーハーネス５を車体に配索する方法について詳細に説明する。
【００３２】
まず、図２および図３に示すように、本実施形態に係る固定ユニットＸ１がワイヤーハーネス５の軸方向における所定箇所に取り付けられる。具体的には、固定具１に防鼠部材３を取り付けた上記固定ユニットＸ１が準備され、固定具１における保持部１１の第２主面１１Ｂがワイヤーハーネス５の軸方向における所定箇所に対向するように配置される。この状態において、テープ部材７がワイヤーハーネス５と保持部１１とに巻き付けられる。これにより、ワイヤーハーネス５が保持部１１に保持される。
【００３３】
次に、固定ユニットＸ１が取り付けられたワイヤーハーネス５が車体の所定箇所に配置される。この際、固定具１における保持部１１の第２主面１１Ｂが車体のボディパネル９に沿って配置されるとともに、固定具１における被固定部１３がボディパネル９の穴部９１に対向するように配置される。なお、ワイヤーハーネス５が車体の所定箇所に配置された後に当該ワイヤーハーネス５の軸方向における所定箇所に固定ユニットＸ１が取り付けられてもよい。
【００３４】
次に、ワイヤーハーネス５が保持部１１に保持された状態で、被固定部１３がボディパネル９の穴部９１に挿入される。具体的には、被固定部１３は、挿入部１４の軸部１４ｂが延びる方向に沿って当該挿入部１４の先端１４ａ側から穴部９１へ挿入される。
【００３５】
そして、図５および図６に示すように、ボディパネル９の穴部９１に挿入された被固定部１３が所定の挿入位置に達することで、引掛部１５がボディパネル９に引っ掛かり、これにより固定具１がボディパネル９に固定される。具体的には、被固定部１３が穴部９１に挿入されるに際して、引掛部１５における外表面１５Ｂの上段面がボディパネル９の縁部９２に当接し、これにより第１引掛部１５ａと第２引掛部１５ｂとが互いに近づくように弾性的に変位しながら穴部９１を通過するとともに、引掛部１５における外表面１５Ｂの下段面がボディパネル９の縁部９２に対向する位置まで被固定部１３が挿入されたところで、第１引掛部１５ａと第２引掛部１５ｂとが互いに遠ざかるように弾性復帰し、引掛部１５の外表面１５Ｂが被固定部１３の挿入方向においてボディパネル９の縁部９２に引っ掛かることにより、被固定部１３がボディパネル９に固定される。なお、本実施形態では、段差状をなす引掛部１５の外表面１５Ｂがボディパネル９の縁部９２に引っ掛かるが、これに限らず、引掛部１５がボディパネル９に引っ掛かればよい。例えば、引掛部１５の外表面１５Ｂが平面状をなす場合、引掛部１５の全体が穴部９１を通過するように被固定部１３が前記穴部９１に挿入され、これによりボディパネル９を挟んで保持部１１の反対側の領域において引掛部１５が弾性復帰することで当該ボディパネル９に引っ掛かるようにしてもよい。
【００３６】
ここで、上記のとおり被固定部１３がボディパネル９の穴部９１に挿入されるに際して、袋状体３２が破れ当該袋状体３２から防鼠剤３１が放出される。具体的には、被固定部１３がボディパネル９の穴部９１に挿入される過程において第１引掛部１５ａと第２引掛部１５ｂとが挿入部１４の軸部１４ｂ側に変位することで、当該軸部１４ｂに取り付けられた各防鼠部材３の袋状体３２が第１引掛部１５ａおよび第２引掛部１５ｂに押しつぶされ、これにより袋状体３２の内部に封入された防鼠剤３１が当該袋状体３２の外部へ放出される。これにより、被固定部１３がボディパネル９に固定されるに際してワイヤーハーネス５に防鼠効果が付与される。なお、図６では、被固定部１３がボディパネル９の穴部９１に挿入されるに際して引掛部１５に押しつぶされた袋状体３２の外形を一点鎖線で示している。
【００３７】
以上のようにしてワイヤーハーネス５の配索作業が完了する。
【００３８】
上記のワイヤーハーネス５の配索作業方法では、被固定部１３が車体のボディパネル９に固定される過程において袋状体３２が破られ、これにより当該袋状体３２の内部から外部へ防鼠剤３１が放出されるためワイヤーハーネス５の配索作業効率が低下することを抑止しつつ当該ワイヤーハーネス５に防鼠効果を付与することができる。具体的には、上記のワイヤーハーネス５の配索作業方法では、袋状体３２に防鼠剤３１が封入される構成を有する防鼠部材３が固定具１に取り付けられるため、ワイヤーハーネス５に予め防鼠剤３１を塗布する必要がなく、固定具１がワイヤーハーネス５の軸方向の所定箇所に取り付けられる作業時あるいはワイヤーハーネス５が車体の所定箇所に配置される作業時において防鼠剤３１の臭いが作業現場に広がることあるいは配索作業者に防鼠剤３１が付着することを抑止できるとともに、これらの作業後において被固定部１３が車体のボディパネル９に固定されるのに伴って袋状体３２の内部から外部へ防鼠剤３１が放出されるため、ワイヤーハーネス５の配索作業効率の低下を抑止しつつ当該ワイヤーハーネス５に防鼠効果を付与することができる。
【００３９】
さらに、固定ユニットＸ１では、被固定部１３の弾性変形に伴って当該被固定部１３が車体のボディパネル９に固定されるとともに、袋状体３２が弾性変形した被固定部１３に押圧されることで破れるため、前記固定に伴って袋状体３２の内部から外部へ防鼠剤３１を容易に放出させることができる。
【００４０】
さらに、固定ユニットＸ１では、各防鼠部材３が第１引掛部１５ａと第２引掛部１５ｂとの間の空間に配置されるため、袋状体３２が不用意に破れることを抑止できる。具体的には、固定ユニットＸ１では、各防鼠部材３が第１引掛部１５ａと第２引掛部１５ｂとの間の空間に配置され、被固定部１３がボディパネル９の穴部９１に挿入されるに際して各防鼠部材３の袋状体３２が前記空間において破れることで当該袋状体３２から防鼠剤３１が放出されるため、被固定部１３がボディパネル９の穴部９１に挿入される以前のワイヤーハーネス５の配索作業時において、車体のボディパネル９あるいは当該車体に搭載された各種部材に袋状体３２が接触することによって当該袋状体３２が破れることを抑止できる。
【００４１】
さらに、固定ユニットＸ１では、挿入部１４がボディパネル９の穴部９１に挿入される過程において袋状体３２が破れることで当該袋状体３２から防鼠部材３が放出されるとともに、前記挿入が引き続き行われることで引掛部１５がボディパネル９に引っ掛かるため、車体のボディパネル９に対するワイヤーハーネス５の固定と当該ワイヤーハーネス５に対する防鼠効果の付与とを同時に達成することができる。具体的には、上記の固定ユニットＸ１では、挿入部１４の軸部１４ｂと引掛部１５の内表面１５Ａとの間の空間に各防鼠部材３が配置されており、挿入部１４がボディパネル９の穴部９１に挿入される過程において第１引掛部１５ａおよび第２引掛部１５ｂが挿入部１４の軸部１４ｂに近づくように変位することにより、挿入部１４の軸部１４ｂと引掛部１５の内表面１５Ａとに挟み込まれた袋状体３２が破れるとともに、挿入部１４が各抜止め部１２および受け部１６がボディパネル９に当接する位置まで挿入されることにより、前記挿入方向において引掛部１５の外表面１５Ｂがボディパネル９の縁部９２に引っ掛かるため、挿入部１４がボディパネル９の穴部９１に挿入されるだけで当該ボディパネル９に対するワイヤーハーネス５の固定と当該ワイヤーハーネス５に対する防鼠効果の付与とを同時に達成することができる。
【００４２】
なお、本実施形態では、挿入部１４がボディパネル９の穴部９１に挿入されるに際して弾性的に変位する引掛部１５が袋状体３２を破る例について説明したが、これに限らず、被固定部１３が車体に固定されるに際して袋状体３２が破れることで当該袋状体３２から防鼠剤３１が放出されればよい。
【００４３】
例えば、図７に示すように、各防鼠部材３が第１受け部１６ａおよび第２受け部１６ｂのボディパネル９に対向する面にそれぞれ取り付けられてもよい。図７に示す固定ユニットＸ１において、被固定部１３がボディパネル９の穴部９１に挿入されることで引掛部１５の外表面１５Ｂがボディパネル９の縁部９２に引っ掛かる位置まで達すると、図８に示すように袋状体３２がボディパネル９と受け部１６との間に挟みこまれることで破れ、当該袋状体３２から防鼠剤３１が放出される。なお、図８では、ボディパネル９と受け部１６との間に挟みこまれることで破れた袋状体３２の外形を一点鎖線で示している。
【００４４】
また、挿入部１４の軸部１４ｂはなくともよく、第１引掛部１５ａおよび第２引掛部１５ｂが先端１４ａと保持部１１の第２主面１１Ｂとを接続するように延びていてもよい。このような場合、防鼠部材３が第１引掛部１５ａの内表面１５Ａと第２引掛部１５ｂの内表面１５Ａとの間に配置され、被固定部１３が穴部９１の挿入されるに際して第１引掛部１５ａと第２引掛部１５ｂとが互いに近づくように変位することにより、袋状体３２が第１引掛部１５ａと第２引掛部１５ｂとに挟み込まれ、これにより当該袋状体３２が破れることで当該袋状体３２から防鼠剤３１が放出される。
【００４５】
また、本実施形態では、被固定部１３がボディパネル９の穴部９１の挿入されることで固定具１がボディパネル９に固定される例について説明したが、これに限らず、例えばボディパネル９にクランプを設け、被固定部１３が前記クランプによって挟み込まれることで固定具１がボディパネル９に固定されてもよい。このような場合、防鼠部材３は、被固定部１３がクランプによって挟み込まれる際に当該被固定部１３と同時にクランプに挟み込まれるように配置され、これによい固定具１がボディパネル９に固定されると同時に袋状体３２が破れ、当該袋状体３２から防鼠剤３１が放出される。
【００４６】
また、本実施形態では、防鼠部材３が固定具１に取り付けられる例について説明したが、これに限らず、固定具１がボディパネル９に固定されるのに伴って防鼠部材３の袋状体３２が破れるのであれば、当該防鼠部材３がワイヤーハーネス５に取り付けられてもよい。
【符号の説明】
【００４７】
Ｘ１    固定ユニット
１      固定具
１１    保持部
１３    被固定部
１４    挿入部
１５    引掛部
１５ａ  第１引掛部（第１部位）
１５ｂ  第２引掛部１（第２部位）
１６    吸収部
３      防鼠部材
３１    防鼠剤
３２    袋状体
５      ワイヤーハーネス
９      ボディパネル
９１    穴部
【図１】
2015173562.tif 000003
【図２】
2015173562.tif 000004
【図３】
2015173562.tif 000005
【図４】
2015173562.tif 000006
【図５】
2015173562.tif 000007
【図６】
2015173562.tif 000008
【図７】
2015173562.tif 000009
【図８】
2015173562.tif 000010